(57)【特許請求の範囲】
【請求項１】
エンジンの下に作業部を備えるとともにエンジンの後方にハンドルを備え、このハンドルにキャリア把手を備えた管理機において、
前記キャリア把手の把持部の中心が管理機の重心を通る鉛直線より後方に位置し、前記把持部の先端が前記鉛直線より前方に位置するように把持部を位置決めし、且つ重心と前記把持部の中心とを通る線分が前記鉛直線となす角度だけ前記把持部を前上がりに傾斜させ、
前記キャリア把手に、下方に前記作業部の耕耘高さ調整をするための抵抗棒を取付ける取付け部を備えたことを特徴とする管理機。
【発明の詳細な説明】
【０００１】
【発明の属する技術分野】
本発明は、エンジンの下に作業部を備えるとともにエンジンの後方にハンドルを備え、このハンドルにキャリア把手を備えた管理機に関する。
【０００２】
【従来の技術】
管理機として、例えば▲１▼実開昭５９−１８６１９３号公報「歩行型管理機」が知られている。
上記技術は、同公報の第２図によれば、フレーム５（符号は公報に記載の符号を流用した）にエンジン１を搭載し、このエンジン１を保護するためにフレーム５の前方にプロテクター６を取付け、フレーム５後方から角形ハンドル７を延出し、この角形ハンドル７の根元に提手用ステー８を取付けたものである。
【０００３】
【発明が解決しようとする課題】
しかし、上記の歩行型管理機は、エンジン１などの重量のある本体部分が角形ハンドル７の前方に集中する構造である。従って、提手用ステー８を握って管理機を持上げた場合には本体部分が大きく回転してしまい持ち運び難い。
従って、管理機を運搬する場合には、提手用ステー８及びプロテクター６を両手で握って持上げることになる。両手で本体部分を持上げることで、必然的に本体部分が身体に近づくことになり、本体部分に土砂がついていれば土砂で衣服が汚れることになる。片手で持上げるのであればその心配はない。
そこで、運搬しやすく且つ片手で持上げることが可能なキャリア把手を備えた管理機が望まれる。
【０００４】
すなわち、本発明の目的は、運搬しやすいキャリア把手をハンドルに備えた管理機を提供することにある。
【０００５】
【課題を解決するための手段】
上記目的を達成するために請求項１は、エンジンの下に作業部を備えるとともにエンジンの後方にハンドルを備え、このハンドルにキャリア把手を備えた管理機において、キャリア把手の把持部の中心が管理機の重心を通る鉛直線より後方に位置し、把持部の先端が鉛直線より前方に位置するように把持部を位置決めし、且つ重心と把持部の中心とを通る線分が鉛直線となす角度だけ把持部を前上がりに傾斜させ、キャリア把手に、下方に作業部の耕耘高さ調整をするための抵抗棒を取付ける取付け部を備えたことを特徴とする。
【０００６】
キャリア把手の把持部の中心が管理機の重心を通る鉛直線より後方に位置し、把持部の先端が鉛直線より前方に位置するように把持部を位置決めし、管理機の重心と把持部の中心とを通る線分が管理機の鉛直線となす角度だけ把持部を前上がりに傾斜させた。従って、キャリア把手を握って管理機を持上げるときに管理機が大きく回転することはないので運搬が容易にできる。
さらに、管理機を両手で抱える必要はないので管理機を運搬するときに衣服を汚す心配を回避することができる。
【０００７】
また、キャリア把手の下方に作業部の耕耘高さ調整をするための抵抗棒を取付ける取付け部を備えることで、管理機の構造の簡素化を図ることができる。この結果、管理機のコストの低減を推進することができる。
【０００８】
【発明の実施の形態】
本発明の実施の形態を添付図に基づいて以下に説明する。なお、「前」、「後」、「左」、「右」、「上」、「下」は作業者から見た方向に従い、Ｆｒは前側、Ｒｒは後側、Ｌは左側、Ｒは右側を示す。また、図面は符号の向きに見るものとする。
【０００９】
図１は本発明に係る管理機の斜視図であり、１０は管理機としての一軸型作業機、１１はエンジン、１２はケーシング、１３は耕耘作業をさせる作業部、１４作業部軸、１５・・・（・・・は複数個を示す。以下同じ）は耕耘爪、１６はエンジン１１の回転を作業部軸１４に伝える伝動部、１７は抵抗棒、１８はハンドル、２１はリコイルスタータ、、２２は燃料タンク、２３はタンクキャップ、２４はオイル注入口、２５はオイルキャップ、２７はエンジンカバー、２８，２９は左右のサイドカバー（本図では２９は不図示）を示し、一軸型作業機１０は、運搬を容易にするためにキャリア把手３５をハンドル１８に備えた耕耘を目的とした管理機である。
【００１０】
図２は本発明に係る管理機の側面図であり、一軸型作業機１０は、車両のシャーシに相当するケーシング１２と、このケーシング１２に搭載したエンジン１１と、このエンジン１１にクラッチ３１を介して接続した駆動シャフト３２と、この駆動シャフト３２の先端に取付けたウォーム３３と、このウォーム３３に噛み合わせたウォームホイール３４と、このウォームホイール３４に嵌合させると共にケーシング１２に回転自在に取付けた作業部軸１４と、この作業部軸１４に取付けた複数の耕耘爪１５・・・と、を備えたものであって、エンジン１１の回転をクラッチ３１、駆動シャフト３２、ウォーム３３、ウォームホイール３４を介して作業部軸１４に伝えることで、土壌を耕耘しながら前進することのできる歩行型の自走式耕耘機である。
【００１１】
すなわち、作業部１３は、ケーシング１２と、伝動部１６でエンジン１１の回転を伝える作業部軸１４と、この作業部軸１４に取付けた耕耘爪１５・・・と、抵抗棒１７とから構成する。また、伝動部１６は、クラッチ３１、駆動シャフト３２、ウォーム３３、ウォームホイール３４を主要構成とする。
抵抗棒１７は、耕耘爪１５・・・で土壌を耕耘する際に、土壌の中に差込むことで耕耘爪１５・・・による耕深量を設定するとともに耕耘爪１５・・・のけん引力に対する抵抗力を付加する働きをする役目を担い、耕耘作業の要となる部材と言える。
【００１２】
キャリア把手３５は、ハンドル１８の構成部品であるハンドルポスト３６に貫通させるとともに一体的に取付けた本体部４７と、この本体部４７の一端を前方に折り曲げ形成した把持部４９と、抵抗棒１７を取付けるために本体部４７の他端に形成した取付け部５１と、から構成する略Ｌ字状の部材であり、一軸型作業機１０の重心をＧ、この一軸型作業機１０の重心を通る鉛直線をＣ１とするときに、一軸型作業機１０の重心Ｇを通る鉛直線Ｃ１がキャリア把手３５の把持部４９の先端と中心との間を通るように把持部４９を位置決めし、且つ重心Ｇと把持部４９の中心とを通る線分が鉛直線Ｃ１となす角度θ１だけ把持部４９を前上がりに傾斜させたものである。なお、Ｃ２は重心Ｇから把持部４９に直角に引いた線分を示す。
【００１３】
言い換えれば、キャリア把手３５は、把持部４９の中心が一軸型作業機１０の重心Ｇを通る鉛直線Ｃ１より後方に位置し、把持部４９の先端が鉛直線Ｃ１より前方に位置するように把持部４９を位置決めし、且つ重心Ｇと把持部４９の中心とを通る線分Ｃ２が鉛直線Ｃ１となす角度だけ把持部４９を前上がりに傾斜させたものである。
【００１４】
例えば、管理機（一軸型作業機１０）を持上げるときに管理機が大きく回転したり、衣服を汚すことのない構造を有するキャリア把手が管理機に付いているとすれば、好ましいことである。
そこで、キャリア把手３５の把持部４９の中心が一軸型作業機１０の重心Ｇを通る鉛直線Ｃ１より後方に位置し、把持部４９の先端が鉛直線Ｃ１より前方に位置するように把持部４９を位置決めし、且つ重心Ｇと把持部４９の中心とを通る線分Ｃ２が鉛直線Ｃ１となす角度だけ把持部４９を前上がりに傾斜させることで、キャリア把手３５を握って一軸型作業機１０を持上げるときに一軸型作業機１０が大きく回転することはないので運搬が容易にできる。
さらに、一軸型作業機１０を両手で抱える必要はないので一軸型作業機１０を運搬するときに衣服を汚す心配を回避することができる。
【００１５】
また、一軸型作業機１０は、キャリア把手３５の下方に作業部１３の耕耘高さ調整をするための抵抗棒１７を取付ける取付け部５１を備えたものであるとも言える。
キャリア把手３５の下方に作業部１３の耕耘高さ調整をするための抵抗棒１７を取付ける取付け部５１を備えることで、一軸型作業機１０の構造の簡素化を図ることができる。この結果、一軸型作業機１０のコストの低減を推進することができる。
【００１６】
図３は本発明に係る管理機の平面図であり、ハンドル１８は、ケーシング１２（図１参照）から延出したハンドルポスト３６と、このハンドルポスト３６に折畳み自在に取付けた略Ｖ字の操作ハンドル３７と、この操作ハンドル３７の左右端部に設けた左右のハンドルグリップ３８，３８と、これらのハンドルグリップ３８，３８に設けた左右のクラッチレバー３９，３９と、からなる。
なお、４２はハンドルポスト３６に操作ハンドル３７を固定するノブ付き止めねじである。また、操作ハンドル３７の左右にクラッチレバー３９，３９を設けることで、これらのクラッチレバー３９，３９の一方を握ることで、クラッチ３１（図２参照）の操作をできるようにした。従って、一軸型作業機１０の操作性の向上を図ることができる。
【００１７】
また、一軸型作業機１０は、エンジン１１（図１参照）を、エンジンカバー２７及び左右のサイドカバー２８，２９で覆ったものであって、これらのエンジンカバー２７及び左右のサイドカバー２８，２９は、自動二輪車を例にとると、カウリングとほぼ同様の機能を果たす部材である。
【００１８】
図４は本発明に係る管理機の正面図であり、一軸型作業機１０は、ケーシング１２とエンジン１１との間を仕切るフェンダ４４を備え、自動車を例にとると、フェンダ４４は特にマッドガードの役目をさせる部材であり、作業時の土砂をエンジンなどに付着することを防止する。
また、一軸型作業機１０は、作業部軸１４を収納することのできる一軸型作業機用箱体としてのキャリングケース４５を備えたものであり、一軸型作業機１０を車両に積載する際に、車両床を痛めたり又は汚したりすることはない。
さらに、一軸型作業機１０は、エンジン１１の前方にプロテクタ４６とを備える。自動車を例にとると、プロテクタ４６はフロントバンパの役目をさせる部材であり、作業時に、草、枝や小木などからエンジン１１などの本体部分を十分に保護する。
【００１９】
図５は本発明に係る管理機のハンドルを折畳んだ状態の側面図であり、キャリングケース４５は、ケーシング１２、作業部軸１４及び耕耘爪１５・・・及び抵抗棒１７から構成する作業部１３を収納するケース本体５２と、このケース本体５２に一体的に形成することで作業部軸１４を受ける受け部５３・・・（本図では１個のみ示す）と、ケース本体５２を一軸型作業機１０側に止めるためにフェンダ４４の上部に廻すたことのできるベルト５４，５４（奥側の５５は不図示）と、これらのベルト５４，５４を締めるためのバックル５５，５５（奥側の５５は不図示）と、からなる。
【００２０】
図６は本発明に係る管理機のハンドルを折畳んだ状態の平面図であり、言い換えれば、キャリングケース４５は、エンジン１１（図１参照）の下方に伝動部１６を介して走行軸を兼ねる作業部軸１４を配置した一軸型作業機１０のために準備する箱体であり、この箱体は作業部軸１４を収納する収納空間Ｓを有する一軸型作業機用箱体であると言える。
【００２１】
一軸型作業機１０を車両に積載する際に、車両床を痛めない若しくは汚さないようにすることは好ましいことである。
そこで、エンジン１０（図１参照）の下方に伝動部１６を介して走行軸を兼ねる作業部軸１４（図１参照）を配置した一軸型作業機１０に、作業部軸１４を収納する収納空間Ｓを有するキャリングケース４５（一軸型作業機用箱体）を備えるようにした。
すなわち、一軸型作業機１０に、作業部軸１４を収納する収納空間Ｓを有するキャリングケース４５（一軸型作業機用箱体）を備えることで、一軸型作業機１０を車両に積載する際に、車両床を痛めたり又は汚したりすることはない。この結果、一軸型作業機１０の利便性の向上を図ることができる。
【００２２】
図７は本発明に係る管理機のプロテクタの正面図であり、プロテクタ４６は、エンジン１１（図１参照）の前方を覆う略板状部５７と、この略板状部５７に一体的に形成することでエンジン１１の両側後方に延出した左右の延出部５８，５９と、略板状部５７に形成することでエンジン１１側にボルト締めするボス部６１，６１と、略板状部５７に形成することで一軸型作業機１０を運搬するときに人手をかけることのできる凹部６２と、からなる。
【００２３】
図８は図７の８−８線断面図であり、一軸型作業機１０は、エンジン１１（図１参照）の後方にハンドル１８を備え、エンジン１１の下に作業部１３（図１参照）を備え、エンジン１１の前方にプロテクタ４６を備えた一軸型作業機１０（管理機）において、プロテクタ４６を、エンジン１１の前方を覆う略板状部５７と、この略板状部５７に一体的に形成することでエンジン１１の両側後方に延出した延出部５８，５９（図７参照）とから構成したものと言える。
【００２４】
管理機が大きな立木に接触したときや管理機が草、枝や小木などに接触したときに、管理機のエンジンを含む本体部分を、十分に保護するようにすることは好ましいことである。
そこで、プロテクタ４６を、エンジン１１の前方を覆う略板状部５７と、この略板状部５７に一体的に形成するとともにエンジン１１の両側後方に延出した延出部５８，５９（図７参照）とから構成することで、一軸型作業機１０（管理機）が大きな立木に接触したときも、又は管理機が草、枝や小木などに接触したときも、一軸型作業機１０のエンジン１１（図１参照）を含む本体部分を十分に保護できるようにした。この結果、一軸型作業機１０に不必要な注意をはらうことなく、作業に集中することができる。
【００２５】
また、一軸型作業機１０は、略板状部５７に、エンジン１１（図１参照）に固定するためのボス部６１を備え、このボス部６１にボルト６３を貫通させることでエンジン１１側に取付けたものとも言える。
略板状部５７に、エンジン１１側に固定するためのボス部６１を備え、このボス部６１にボルト６３を貫通させることでエンジン１１側に取付けることで、プロテクタ４６の剛性を確保する。この結果、一軸型作業機１０のエンジン１１を含む本体部分を保護するためにプロテクタ４６の保護機能の増大を図ることができる。
【００２６】
さらに、一軸型作業機１０は、略板状部５７に、運搬するときに人手をかけることのできる凹部６２を形成したものとも言える。
略板状部５７に、一軸型作業機１０を運搬するときに人手をかけることのできる凹部６２を形成することで、プロテクタ４６の保護機能を損うことなく、一軸型作業機１０の利便性の向上を図ることができる。
【００２７】
以上に述べた一軸型作業機１０の作用を次に説明する。
図９（ａ），（ｂ）は本発明に係る管理機の作用説明図である。
（ａ）において、人手でキャリア把手３５の把持部４９を矢印ａ１の如く持上げる。一軸型作業機１０は若干前かがみの姿勢になるが、大きくその姿勢が崩れることはない。すなわち、一軸型作業機１０の重心Ｇと把持部４９の中心とを通る線分Ｃ２が地面Ｅに垂直になる。
【００２８】
一軸型作業機１０の重心Ｇを通る鉛直線Ｃ１がキャリア把手３５の把持部４９の先端と中心との間を通るように把持部４９を位置決めし、一軸型作業機１０の重心Ｇと把持部４９の中心とを通る線分Ｃ２が一軸型作業機１０の鉛直線Ｃ１となす角度だけ把持部４９を前上がりに傾斜させたることで、本体部４７から把持部４９の延出量を必要以上に突出させることのないキャリア把手３５の実現をすることができる。これにより、キャリア把手３５が他の操作をするときの妨げにならない。
【００２９】
すなわち、キャリア把手３５を握って一軸型作業機１０を持上げるときに一軸型作業機１０が大きく回転することはないので運搬が容易にできる。
さらに、一軸型作業機１０を両手で抱える必要はないので一軸型作業機１０を運搬するときに衣服を汚す心配を回避することができる。
【００３０】
（ｂ）において、一軸型作業機１０は、キャリア把手３５の下方に作業部１３の耕耘高さ調整をするための抵抗棒１７を取付ける取付け部５１を備えた。従って、抵抗棒１７を矢印ｂ１の如く上下方向に調整可能であるとともに矢印ｂ２の如く回転可能にであり、本来の耕耘作業の利便性と収納性の向上を図ることができる。
すなわち、キャリア把手３５の下方に作業部１３の耕耘高さ調整をするための抵抗棒１７を取付ける取付け部５１を備えることで、一軸型作業機１０の構造の簡素化を図ることができる。この結果、一軸型作業機１０のコストの低減を推進することができる。
【００３１】
尚、実施の形態では図２に示すように、一軸型作業機１０の重心Ｇを通る鉛直線Ｃ１がキャリア把手３５の把持部４９の先端と中心との間を通るように把持部４９を位置決めしたが、これに限るものではなく、鉛直線がキャリア把手の把持部の略中心を通るものであってもよい。
【００３２】
【発明の効果】
本発明は上記構成により次の効果を発揮する。
請求項１では、キャリア把手の把持部の中心が管理機の重心を通る鉛直線より後方に位置し、把持部の先端が鉛直線より前方に位置するように把持部を位置決めし、且つ重心と把持部の中心とを通る線分が鉛直線となす角度だけ把持部を前上がりに傾斜させたので、キャリア把手を握って管理機を持上げるときに管理機が大きく回転することはないので運搬が容易にできる。
さらに、管理機を両手で抱える必要はないので管理機を運搬するときに衣服を汚す心配を回避することができる。
【００３３】
また、キャリア把手の下方に作業部の耕耘高さ調整をするための抵抗棒を取付ける取付け部を備えので、管理機の構造の簡素化を図ることができる。この結果、管理機のコストの低減を推進することができる。
【図面の簡単な説明】
【図１】本発明に係る管理機の斜視図
【図２】本発明に係る管理機の側面図
【図３】本発明に係る管理機の平面図
【図４】本発明に係る管理機の正面図
【図５】本発明に係る管理機のハンドルを折畳んだ状態の側面図
【図６】本発明に係る管理機のハンドルを折畳んだ状態の平面図
【図７】本発明に係る管理機のプロテクタの正面図
【図８】図７の８−８線断面図
【図９】本発明に係る管理機の作用説明図
【符号の説明】
１０…管理機（一軸型作業機）、１１…エンジン、１３…作業部、１７…抵抗棒、１８…ハンドル、３５…キャリア把手、Ｃ１…鉛直線、Ｃ２…線分、Ｇ…重心、５１…取付け部。
【図１】
0004031934.tif 000002
【図２】
0004031934.tif 000003
【図３】
0004031934.tif 000004
【図４】
0004031934.tif 000005
【図５】
0004031934.tif 000006
【図６】
0004031934.tif 000007
【図７】
0004031934.tif 000008
【図８】
0004031934.tif 000009
【図９】
0004031934.tif 000010